(57)【要約】【課題】歯の剛性を高めたシェービングカッターおよびその製造方法を提供する。【解決手段】歯底部１０７から回転軸心側に延びる穴部１０８を形成し、穴部１０８が形成された後、歯先側から穴部１０８に亘ってセレーション溝１０３を歯面１０２上に形成する。【選択図】図６
2009214263.tif 000002
【特許請求の範囲】
【請求項１】
セレーション溝を加工する工具の逃げ部を備えたシェービングカッターにおいて、
前記逃げ部は、セレーション溝の歯底側から連続して回転軸心側に延在した穴部であることを特徴とするシェービングカッター。
【請求項２】
請求項１に記載のシェービングカッターにおいて、
軸穴の内周面に周方向に形成された環状溝を備えており、
前記穴部は、前記環状溝に連通していることを特徴とするシェービングカッター。
【請求項３】
歯底部から回転軸心側に延びる穴部を形成する穴部形成工程と、
前記穴部が形成された後、歯先側から前記穴部に亘ってセレーション溝を歯面上に形成するセレーション溝形成工程と、
を含むことを特徴とするシェービングカッターの製造方法。
【請求項４】
請求項１又は２に記載のシェービングカッターを用いた歯車のシェービング加工方法であって、
前記シェービングカッターの前記穴部に回転軸心側から切削油を圧入して当該穴部の遠心側から切削油を吐出しつつ、被削歯車の切削を行うことを特徴とする歯車のシェービング加工方法。
【発明の詳細な説明】
【技術分野】
【０００１】
本発明は、歯車の仕上げ加工に用いられるシェービングカッター、シェービングカッターの製造方法、およびシェービングカッターを用いた歯車のシェービング加工方法に関する。
【背景技術】
【０００２】
一般に、自動車のトランスミッションなどに使用される高精度の歯車は、粗材をホブ切り加工して形成した被削歯車にシェービング加工を施すことによって仕上げられる。このようにトランスミッションなどに使用される歯車の精度を高めることで自動車の低振動化、低騒音化、低燃費化などが実現される。
【０００３】
上記シェービング加工は、シェービングカッターと被削歯車とを軸交差角を持たせた状態で噛合わせ、双方を回転させることにより発生する歯同士の横すべりを利用して被削歯車の歯面を微小切削して仕上げる加工形態である。
【０００４】
上記シェービングカッターは、高速度鋼等の硬質材料からなり、円板状材料の外周に等間隔に複数の歯が形成された歯車形状をしている。各歯の両歯面には、それぞれ歯先側から歯底側に延びるセレーション溝が歯幅方向に間隔をおいて複数形成されており、セレーション溝と、セレーション溝の間部であるランドとの交差稜線部が切刃として機能する。
【０００５】
シェービングカッターの歯底には、歯筋方向に延びる断面略円弧状の凹部が形成されている。このような凹部が形成されているのは、セレーション溝の加工方法に起因する。すなわち、セレーション溝の加工は、各歯面に櫛歯状の工具を歯先側から切り込ませて歯底側に送ることにより形成されるが、上記凹部は、この工具の先端がシェービングカッターに干渉することなく歯底側に抜け出す際の逃げ部とされる（例えば、特許文献１〜３を参照。）。
【０００６】
ところで、シェービングカッターを用いて被削歯車に対してシェービング加工を施す際には、好適な切削状態を確保すべく、切削部位に大量の切削油が注がれることが多い。切削油の注油は、切削抵抗の減少、切削により生じる熱の冷却、切粉の切削部位からの排出などのために行われる。
【特許文献１】特開２０００−５２１４６号公報
【特許文献２】特開２００５−２０５５０６号公報
【特許文献３】特開平９−２８５９１５号公報
【発明の開示】
【発明が解決しようとする課題】
【０００７】
上記シェービングカッターの歯底には、歯筋方向に延びる断面略円弧状の凹部が形成されていることから、歯の剛性が低下するという問題があった。歯の剛性が低いと、シェービング加工中にシェービングカッターの歯が撓み易くなり、加工精度の悪化を招くおそれがある。
【０００８】
また、シェービング加工中に、シェービングカッターによる被削歯車の切削部位へ大量の切削油が注がれるが、当該切削部位は、シェービングカッターと被削歯車との噛合い点にあり、奥まった所にあることから、切粉を十分に排出しきれないという問題もあった。切粉の排出を十分に行うことができない場合、残存した切粉がシェービングカッターの切刃と被削歯車との間に噛み込んで加工精度の悪化を招くおそれがあるため、切粉の排出は十分になされることが望ましい。
【０００９】
本発明は、上記課題に鑑みて創案されたものであり、歯の剛性を高めたシェービングカッターおよびその製造方法を提供することを目的とする。
【００１０】
また、本発明は、シェービングカッターによる被削歯車の切削により発生する切粉を切削部位から十分に排出することを可能とした歯車のシェービング加工方法、この方法に用いられるシェービングカッター、およびこのシェービングカッターの製造方法を提供することをも目的とする。
【課題を解決するための手段】
【００１１】
上述の課題を解決するための手段として、本発明のシェービングカッターは、以下のように構成されている。すなわち、本発明のシェービングカッターは、セレーション溝を加工する工具の逃げ部を備えたシェービングカッターにおいて、前記逃げ部は、セレーション溝の歯底側から連続して回転軸心側に延在した穴部であることを特徴としている。なお、上記「回転軸心側に延在した穴部」とは、穴部の延在方向が正確に回転軸心に向いていることを意味するのではない。つまり、後述の作用効果を奏する限度において穴部の延在方向が回転軸心からずれていてもよい。
【００１２】
かかるシェービングカッターによれば、逃げ部が、歯筋方向に延びた断面略円弧状の凹部ではなく、上記穴部であるため、従来のものよりも歯の剛性を高めることができる。
【００１３】
また、穴部に回転軸心側から切削油を圧入して当該穴部の遠心側から切削油を吐出しつつ、被削歯車の切削を行えば、切削油はシェービングカッターの歯底部から吐出し、セレーション溝を加工する工具の先端側から供給される。このため、切削部位がシェービングカッターと被削歯車との噛合い点の奥まった所にあっても、十分に切粉を排出することが可能となる。
【００１４】
また、本発明のシェービングカッターは、次のように構成されていてもよい。すなわち、上記構成を備えるシェービングカッターにおいて、軸穴の内周面に周方向に形成された環状溝を備えており、前記穴部は、前記環状溝に連通していることを特徴としている。
【００１５】
本発明のシェービングカッターの製造方法は、歯底部から回転軸心側に延びる穴部を形成する穴部形成工程と、前記穴部が形成された後、歯先側から前記穴部に亘ってセレーション溝を歯面上に形成するセレーション溝形成工程と、を含むことを特徴としている。なお、「回転軸心側に延びる穴部」とは、穴部の延在方向が正確に回転軸心に向いていることを意味するのではない。つまり、後述の作用効果を奏する限度において穴部の延在方向が回転軸心からずれていてもよい。
【００１６】
かかるシェービングカッターの製造方法によれば、セレーション溝を加工する工具が歯の歯底側を切削する際に同工具の先端部が穴部内に入り込む。つまり穴部が工具の逃げ部として機能するため、工具の先端部をシェービングカッターへ干渉させることなくセレーション溝を形成することができる。しかも、このシェービングカッターの製造方法により製造されたシェービングカッターは、歯筋方向に延びた断面略円弧状の凹部を設ける必要がないことから、歯の剛性が高いものとなる。
【００１７】
本発明の歯車のシェービング加工方法は、上記何れかのシェービングカッターを用いた歯車のシェービング加工方法であって、前記シェービングカッターの前記穴部に回転軸心側から切削油を圧入して当該穴部の遠心側から切削油を吐出しつつ、被削歯車の切削を行うことを特徴としている。
【００１８】
かかる歯車のシェービング加工方法によれば、既述したように、切削部位がシェービングカッターと被削歯車との噛合い点の奥まった所にあっても、十分に切粉を排出することが可能となる。
【発明の効果】
【００１９】
本発明のシェービングカッターによれば、逃げ部が、歯筋方向に延びた断面略円弧状の凹部ではなく、セレーション溝の歯底側から連続して回転軸心側に延在した穴部であるため、従来のものよりも歯の剛性を高めることができる。
【００２０】
本発明のシェービングカッターの製造方法によれば、工具の先端部をシェービングカッターへ干渉させることなくセレーション溝を形成することができる。
【００２１】
本発明の歯車のシェービング加工方法によれば、十分に切粉を排出することが可能となる。
【発明を実施するための最良の形態】
【００２２】
［シェービングカッターの構造］
以下、本発明の実施の形態について図面を参照して説明する。図１〜図３に本発明の実施の形態に係るシェービングカッター１００を示す。図１はシェービングカッター１００の正面図、図２はシェービングカッター１００の部分平面図、図３は、図２のＡ−Ａ線断面図の一部である。
【００２３】
図１〜図３に示すように、シェービングカッター１００は、円板状の材料の外周部分に複数個の歯１０１を有している。図２に示されるように、シェービングカッター１００の各歯１０１は、所定のねじれ角を有し、歯面１０２上に、歯形に沿ってセレーション溝１０３が間隔をおいて形成されている。各歯１０１の歯面（ランド）１０２とセレーション溝１０３との稜部には、切刃１０４が形成されている。符号１０５は、シェービング加工装置の後述する支軸３０１を嵌入させる軸穴である。この軸穴１０５の内周面には、周方向に延在した環状溝１０６が形成されている。
【００２４】
シェービングカッター１００には、さらに、各セレーション溝１０３の歯底側から連続して回転軸心側に延在した穴部１０８が形成されている。この穴部１０８は、環状溝１０６まで延びており、セレーション溝１０３の歯底部１０７と環状溝１０６とを連通している。なお、穴部１０８は、真直なものである必要なく、後述の作用効果を奏する限度において、湾曲、屈曲したものであってもよい。また、環状溝１０６を設けない場合は、穴部１０８は、非貫通穴であってもよい。このときの穴深さは後述する工具の逃げ部として機能する程度確保されていればよい。
【００２５】
［シェービングカッターの製造方法］
つぎに、上記シェービングカッター１００の製造方法の一例について説明する。
【００２６】
まず、円板状の材料に所定径の軸穴１０５が加工されたもの（以下、「粗材」という。）に対して、環状溝形成工程として、軸穴１０５の内周面に周方向に環状溝１０６を形成する。この環状溝１０６の形成は、例えば、旋盤により軸穴１０５の内周面にバイトを押し当てて切削することにより行われる。
【００２７】
つぎに、歯形成工程として、粗材の外周部に複数の歯１０１を所定のねじれ角を持たせて形成する。この歯１０１の形成は、例えば、ホブ切り加工、バイト切り加工、ピニオンカッタ切り加工などを施すことにより行われる。図４に、粗材に対して上記環状溝形成工程および歯形成工程における加工が施されたものの例を示す。
【００２８】
つぎに、穴部形成工程として、図５に示すように、歯底部１０７から回転軸心側に延びる穴部１０８を形成する。この穴部１０８の形成は、キリ穴加工などを施すことにより行われる。
【００２９】
歯形成工程および穴部形成工程の後、セレーション溝形成工程として、図６に示すように、歯先側から穴部１０８に亘ってセレーション溝１０３を歯面１０２上に形成する。ここで、セレーション溝１０３の形成は、例えば、歯面１０２に対してスロッタ加工を施すことにより行われる。このとき、スロッタのバイト（工具）２０１は歯先側から歯底側の穴部１０８に向かって移動しつつ歯面１０２を切削する。図６（ｃ）に示すように、バイト２０１が歯１０１の歯底側を切削する際に同バイト２０１の先端部が穴部１０８内に入り込む。このため、バイト２０１の先端部を被削物であるシェービングカッター１００へ干渉させることなくセレーション溝１０３を形成することができる。なお、図６（ｃ）においては、バイト２０１として、同時に複数列のセレーション溝１０３を加工することができる櫛形のものが使用されている。
【００３０】
以上の全ての工程が完了すると図１〜図３に示したような形状のシェービングカッター１００が出来上がる。その後、出来上がったシェービングカッター１００に対して所定の熱処理が施され、更にコーディング処理、表面研削処理等が必要に応じて施される。
【００３１】
なお、セレーション溝形成工程は、歯形成工程および穴部形成工程の後に行われるが、その他の工程については順序が入れ替わってもよい。例えば、環状溝形成工程をセレーション溝形成工程の後に行ってもよい。
【００３２】
［歯車のシェービング加工方法］
つぎに、上記シェービングカッター１００を用いた、歯車のシェービング加工方法について説明する。
【００３３】
図７に本発明の実施の形態におけるシェービング加工装置３００を示す。このシェービング加工装置３００は、シェービングカッター１００、シェービングカッター１００を支持する支軸３０１、この支軸３０１にギヤ３０２，３０３を介して回転駆動力を与える回転駆動軸３０４、被削歯車３０５を回転自在に支持するワーク支持台３０６などを備えている。
【００３４】
支軸３０１は、シェービングカッター１００の軸穴１０５に嵌入されている。支軸３０１の先端側には、シェービングカッター１００を挟持固定する挟持固定手段が設けられている。この挟持固定手段は、例えば図示するように、支軸３０１の途中位置に径方向外側へ延設されたフランジ部３０１ａ、支軸３０１の先端部の同心上に設けられた雄ねじ部３０１ｂ、この雄ねじ部３０１ｂに対応する雌ねじ部３０７ａが内側に形成された挟持具３０７を備えている。なお、支軸３０１にはギヤ３０３がスプライン嵌合により固設されている。
【００３５】
シェービングカッター１００は、支軸３０１の先端側からフランジ部３０１ａに当接するまで嵌め込まれ、挟持具３０７の雌ねじ部３０７ａが支軸３０１の雄ねじ部３０１ｂにねじ込まれる。これにより、シェービングカッター１００はフランジ部３０１ａと挟持具３０７との間に挟持固定され、支軸３０１と一体に回転可能となる。なお、符号３０８は後述する切削油の漏出を防止するためのオーリング等のシール材である。
【００３６】
支軸３０１内には、油路３０１Ｘが形成されており、図示しない油圧ポンプ等の切削油供給手段によって、この油路３０１Ｘの基端側（図７中左側）から切削油が圧入される。油路３０１Ｘは、支軸３０１の軸方向に延在し、その下流側端部において径方向に屈曲して外径面に通じ、更にシェービングカッター１００の環状溝１０６内に連通している。なお、環状溝１０６と支軸３０１の外周面との間の空間は、ほぼ密閉空間となっている。この空間より切削油が漏出しても、シール材３０８にて封止されるようになっている。
【００３７】
回転駆動軸３０４は、図示しない駆動源によって設定回転数にて回転駆動される。この回転駆動軸３０４には、支軸３０１に固設されたギヤ３０３に噛合したギヤ３０２がスプライン嵌合により固設されている。この回転駆動軸３０４の回転動力は、ギヤ３０２、３０３を介して支軸３０１に伝達され、支軸３０１を設定回転速度にて回転駆動させる。
【００３８】
ワーク支持台３０６は、テーブル３０９上に被削歯車３０５を回転自在に支持し、且つ、シェービングカッター１００と被削歯車３０５とが所定の軸交差角を持つ状態で噛合うように設置されている。
【００３９】
なお、上記シェービング加工装置３００において、環状溝１０６は全ての穴部１０８、・・・に連通したものであるが、環状溝を厚さ方向に間隔をおいて複数列（４箇所）設け、支軸３０１内の油路３０１Ｘを各列の環状溝に連通させてもよい。
【００４０】
以上に説明したシェービング加工装置３００により被削歯車３０５に対してシェービング加工を施す場合は、図示しない駆動源の作動により回転駆動軸３０４を回転させ、これとともに支軸３０１およびシェービングカッター１００を回転させる。同時に、切削油供給手段によって支軸３０１内の基端側から切削油を圧入供給する。
【００４１】
すると、切削油は、支軸３０１内の油路３０１Ｘ内を送給されて、シェービングカッター１００の環状溝１０６を介して各穴部１０８，・・・内に回転軸心側から圧入される。そして、切削油は、各穴部１０８，・・・の遠心側の歯底部１０７から吐出する。このとき、シェービングカッター１００の歯面１０２と被削歯車３０５の歯面とが互いに横すべりして、シェービングカッター１００の切刃１０４によって被削歯車３０５の歯面が切削されるが、当該切削部位にシェービングカッター１００の歯底部１０７から吐出した切削油が供給される。切削油はシェービングカッター１００の歯底部１０７から吐出し、スロッタのバイト２０１の先端側から供給されるため、切削部位がシェービングカッター１００と被削歯車３０５との噛合い点の奥まった所にあっても十分に切粉を排出することが可能となる。これにより、残存する切粉による加工精度の悪化が防止される。
【産業上の利用可能性】
【００４２】
本発明は、歯車の仕上げ加工に用いられるシェービングカッター、シェービングカッターの製造方法、およびシェービングカッターを用いた歯車のシェービング加工方法に適用可能である。
【図面の簡単な説明】
【００４３】
【図１】本発明の実施の形態に係るシェービングカッターの正面図である。
【図２】本発明の実施の形態に係るシェービングカッターの部分平面図である。
【図３】図２のＡ−Ａ線断面図であって、シェービングカッターの歯近傍部分を示す図である。
【図４】シェービングカッターの製造方法の工程を説明する図であって、粗材に対して環状溝形成工程および歯形成工程が施された後の状態を示す図である。（ａ）は平面図、（ｂ）は正面図である。
【図５】シェービングカッターの製造方法の工程を説明する図であって、図４の状態の粗材に対して更に穴部形成工程が施された後の状態を示す図である。（ａ）は平面図、（ｂ）は正面図である。
【図６】シェービングカッターの製造方法の工程を説明する図であって、図５の状態の粗材に対して更にセレーション溝形成工程が施された後の状態を示す図である。（ａ）は平面図、（ｂ）は正面図、（ｃ）は斜視断面図の一部である。
【図７】シェービング加工装置の概略構成を示した部分断面図である。
【符号の説明】
【００４４】
１００  シェービングカッター
１０１  歯
１０２  歯面
１０３  セレーション溝
１０５  軸穴
１０６  環状溝
１０７  歯底部
１０８  穴部
３００  シェービング加工装置
３０５  被削歯車
【図１】
2009214263.tif 000003
【図２】
2009214263.tif 000004
【図３】
2009214263.tif 000005
【図４】
2009214263.tif 000006
【図５】
2009214263.tif 000007
【図６】
2009214263.tif 000008
【図７】
2009214263.tif 000009